(57)【要約】【課題】施工後に太陽光パネルの受光面を保護する太陽光発電システムを得ること。【解決手段】太陽光発電システム８は、太陽光を直流電力に変換する太陽光パネル１と、太陽光パネル１の受光面９を覆うことができる保護シート１０と、太陽光パネル１の受光面９を覆っている保護シート１０を巻き取ることができる巻取機１１と、巻取機１１を制御する制御部１２とを有する。制御部１２は、太陽光パネル１の受光面９を保護する必要があると判断した場合に巻取機１１を制御して保護シート１０が受光面９を覆う状態にさせ、受光面９を保護する必要がないと判断した場合に巻取機１１を制御して保護シート１０が受光面９を覆わない状態にさせる。【選択図】図２
2018107954.tif 000002
【特許請求の範囲】
【請求項１】
太陽光を電力に変換する太陽光発電システムであって、
前記太陽光を直流電力に変換する太陽光パネルと、
前記太陽光パネルの受光面を覆うことができる保護シートと、
前記太陽光パネルの前記受光面を覆っている前記保護シートを巻き取ることができると共に巻き取られた前記保護シートを繰り出して前記保護シートに前記受光面を覆わせることができる巻取機と、
前記巻取機を制御する制御部とを備え、
前記制御部は、
前記太陽光発電システムの外部に位置する外部機器からの情報をもとに前記太陽光パネルの前記受光面を保護する必要があるか否かを判断すると共に、
前記受光面を保護する必要があると判断した場合に前記巻取機を制御して前記保護シートが前記受光面を覆う状態にさせ、前記受光面を保護する必要がないと判断した場合に前記巻取機を制御して前記保護シートが前記受光面を覆わない状態にさせる
ことを特徴とする太陽光発電システム。
【請求項２】
太陽光を電力に変換する太陽光発電システムであって、
前記太陽光を直流電力に変換する第１の太陽光パネルと、
前記第１の太陽光パネルと並べられると共に前記太陽光を直流電力に変換する第２の太陽光パネルと、
前記第１の太陽光パネルと前記第２の太陽光パネルとのうちの少なくとも一方を動作させて前記第１の太陽光パネル及び前記第２の太陽光パネルの各々の受光面を対向させることができる移動手段と、
前記移動手段を制御する制御部とを備え、
前記制御部は、
前記太陽光発電システムの外部に位置する外部機器からの情報をもとに前記第１の太陽光パネル及び前記第２の太陽光パネルの各々の前記受光面を保護する必要があるか否かを判断すると共に、
前記受光面を保護する必要があると判断した場合に前記移動手段を制御して前記第１の太陽光パネル及び前記第２の太陽光パネルの各々の受光面を対向させる状態にさせ、前記受光面を保護する必要がないと判断した場合に前記移動手段を制御して前記第１の太陽光パネルと前記第２の太陽光パネルとが並べられる状態にさせる
ことを特徴とする太陽光発電システム。
【請求項３】
前記第１の太陽光パネルと協働して前記第２の太陽光パネルを挟む位置に並べられる第３の太陽光パネルを更に備え、
前記第３の太陽光パネルは、前記太陽光を直流電力に変換する太陽光パネルであって、
前記移動手段は、前記第２の太陽光パネルと前記第３の太陽光パネルとのうちの少なくとも一方を動作させて前記第２の太陽光パネル及び前記第３の太陽光パネルの各々の裏面を向き合わせることができ、
前記裏面は、前記第２の太陽光パネル及び前記第３の太陽光パネルの各々の二つの平面のうちの前記受光面でない面であり、
前記制御部は、前記受光面を保護する必要があると判断した場合に前記移動手段を制御して前記第２の太陽光パネル及び前記第３の太陽光パネルの各々の前記裏面を向き合わせる状態にさせ、前記受光面を保護する必要がないと判断した場合に前記移動手段を制御して前記第２の太陽光パネルと前記第３の太陽光パネルとが並べられる状態にさせる
ことを特徴とする請求項２に記載の太陽光発電システム。
【請求項４】
太陽光を電力に変換する太陽光発電システムであって、
前記太陽光を直流電力に変換する太陽光パネルと、
前記太陽光パネルの二つの平面のうちの受光面ではない裏面の側に位置する軸の周りに前記太陽光パネルを回転させることができる回転機と、
前記回転機を制御する制御部とを備え、
前記制御部は、
前記太陽光発電システムの外部に位置する外部機器からの情報をもとに前記太陽光パネルの前記受光面を保護する必要があるか否かを判断すると共に、
前記受光面を保護する必要があると判断した場合に前記回転機を制御して前記受光面を前記裏面よりも鉛直下方の側に位置させ、前記受光面を保護する必要がないと判断した場合に前記回転機を制御して前記受光面を前記裏面よりも鉛直上方の側に位置させる
ことを特徴とする太陽光発電システム。
【請求項５】
前記制御部は、前記外部機器とネットワーク又はインターネットによって接続され、
前記外部機器からの情報は、前記太陽光パネルの位置の自然環境の情報である
ことを特徴とする請求項１から４のいずれか１項に記載の太陽光発電システム。
【請求項６】
前記制御部は、前記外部機器とネットワーク又はインターネットによって接続され、
前記外部機器からの情報は、前記太陽光パネルの発電量の情報である
ことを特徴とする請求項１から４のいずれか１項に記載の太陽光発電システム。
【請求項７】
前記制御部は、前記外部機器とネットワーク又はインターネットによって接続され、
前記外部機器からの情報は、前記太陽光パネルの位置の自然環境の情報及び前記太陽光パネルの発電量の情報である
ことを特徴とする請求項１から４のいずれか１項に記載の太陽光発電システム。
【発明の詳細な説明】
【技術分野】
【０００１】
本発明は、太陽光を電力に変換する太陽光発電システムに関する。
【背景技術】
【０００２】
太陽光発電システムが有する太陽光パネルは、太陽光を受ける必要があるため、屋外に設置される。太陽光パネルが屋外に設置されるため、従来の太陽光パネルの受光面は、飛来物による衝撃を受ける。飛来物の一例は、石又はゴミである。また、従来の太陽光パネルの受光面は、強風、豪雨又は積雪にさらされる。受光面は、保護される必要がある。従来、施工又はメンテナンスを容易に行うための手段が提案されている（例えば、特許文献１参照）。また、施工時に太陽光パネルの受光面を保護する手段が提案されている（例えば、特許文献２参照）。
【先行技術文献】
【特許文献】
【０００３】
【特許文献１】特開２００１−３３２７５２号公報
【特許文献２】特開２０１５−２２４５４２号公報
【発明の概要】
【発明が解決しようとする課題】
【０００４】
しかしながら、従来、施工後に太陽光パネルの受光面を保護する手段は提案されていない。
【０００５】
本発明は、上記に鑑みてなされたものであって、施工後に太陽光パネルの受光面を保護する太陽光発電システムを得ることを目的とする。
【課題を解決するための手段】
【０００６】
上述した課題を解決し、目的を達成するために、本発明は、太陽光を電力に変換する太陽光発電システムであって、前記太陽光を直流電力に変換する太陽光パネルと、前記太陽光パネルの受光面を覆うことができる保護シートと、前記太陽光パネルの前記受光面を覆っている前記保護シートを巻き取ることができると共に巻き取られた前記保護シートを繰り出して前記保護シートに前記受光面を覆わせることができる巻取機と、前記巻取機を制御する制御部とを有する。前記制御部は、前記太陽光発電システムの外部に位置する外部機器からの情報をもとに前記太陽光パネルの前記受光面を保護する必要があるか否かを判断すると共に、前記受光面を保護する必要があると判断した場合に前記巻取機を制御して前記保護シートが前記受光面を覆う状態にさせ、前記受光面を保護する必要がないと判断した場合に前記巻取機を制御して前記保護シートが前記受光面を覆わない状態にさせる。
【発明の効果】
【０００７】
本発明によれば、施工後に太陽光パネルの受光面を保護することができるという効果を奏する。
【図面の簡単な説明】
【０００８】
【図１】実施の形態１において太陽光パネルが住宅の屋根に設置される状況を示す図
【図２】実施の形態１にかかる太陽光発電システムの構成を示す図
【図３】実施の形態１にかかる太陽光発電システムの構成の一部の斜視図
【図４】実施の形態１にかかる太陽光発電システムのレールの底を移動する第１の車輪及び第２の車輪と、車軸と、支柱との構成を示す斜視図
【図５】実施の形態１にかかる太陽光発電システムの保護シートの移動を説明するための図
【図６】実施の形態１にかかる太陽光発電システムが有する制御部の動作の手順を示すフローチャート
【図７】実施の形態２にかかる太陽光発電システムの構成を示す図
【図８】実施の形態２にかかる太陽光発電システムの構成の詳細を説明するための第１図
【図９】実施の形態２にかかる太陽光発電システムの構成の詳細を説明するための第２図
【図１０】実施の形態２にかかる太陽光発電システムが有する第１の回転用軸の一部の斜視図
【図１１】実施の形態２にかかる太陽光発電システムが有する制御部の動作の手順を示すフローチャート
【図１２】実施の形態３にかかる太陽光発電システムの構成を示す第１図
【図１３】実施の形態３にかかる太陽光発電システムの構成を示す第２図
【図１４】実施の形態３にかかる太陽光発電システムが有する制御部の動作の手順を示すフローチャート
【図１５】実施の形態１、２及び３の各々にかかる太陽光発電システムが有する制御部を構成する少なくとも一部の構成要素が処理回路によって実現される場合の処理回路を示す図
【図１６】実施の形態１、２及び３の各々にかかる太陽光発電システムが有する制御部の少なくとも一部の機能がプロセッサによって実現される場合のプロセッサを示す図
【発明を実施するための形態】
【０００９】
以下に、本発明の実施の形態にかかる太陽光発電システムを図面に基づいて詳細に説明する。なお、この実施の形態によりこの発明が限定されるものではない。
【００１０】
実施の形態１．
実施の形態１にかかる太陽光発電システムは、後述する通り、太陽光を直流電力に変換する太陽光パネルを有する。太陽光パネルは、屋外に設置される。例えば、太陽光パネルは、住宅の屋根、ビルの屋根、住宅に隣接する庭又は野原に設置される。実施の形態１では、太陽光パネルが住宅に設置される状況について説明する。図１は、実施の形態１において太陽光パネル１が住宅２の屋根２ａに設置される状況を示す図である。図１は、複数枚の太陽光パネル１を有する太陽光モジュール３が住宅２の屋根２ａに設置されている状況を示している。
【００１１】
太陽光パネル１は、太陽光を受けて太陽光を電力に変換する受光部分と、受光部分を囲って受光部分を保持する枠とを有する。受光部分は、枠に組み込まれる。例えば、複数枚の太陽光パネル１が固定用の架台に設置され、架台が住宅２の屋根２ａに固定される。これにより、太陽光パネル１は住宅２の屋根２ａに設置される。太陽光パネル１は直流電力を出力し、太陽光パネル１から出力された直流電力は、直流電力を交流電力に変換することができる電力変換装置４に送られる。
【００１２】
電力変換装置４は、太陽光パネル１から出力された直流電力を交流電力に変換する。電力変換装置４によって得られた交流電力は、住宅２に設置される接続負荷５に送られて接続負荷５によって消費される。接続負荷５の一例は、テレビジョンセット、冷蔵庫、エアーコンディショナ、ラジオ、扇風機、昇降機、照明機器又は換気装置である。加えて、電力変換装置４によって得られた交流電力は、電力を電力会社に売るために系統６に送られる。
【００１３】
さらに、電力変換装置４によって得られた交流電力は、蓄電池７に送られ、蓄電池７に蓄えられる。蓄電池７に蓄えられた電力は、例えば非常時に使用される。電力変換装置４は、太陽光パネル１による発電量の監視と、太陽光パネル１にエラーが発生したか否かの判定と、太陽光パネル１にエラーが発生したと判定した場合のエラーの表示とを行う。エラーの一例は、停電である。
【００１４】
次に、実施の形態１にかかる太陽光発電システム８を説明する。図２は、実施の形態１にかかる太陽光発電システム８の構成を示す図である。太陽光発電システム８は、太陽光を電力に変換するシステムであって、太陽光を直流電力に変換する太陽光パネル１と、太陽光パネル１から出力された直流電力を交流電力に変換する電力変換装置４と、太陽光パネル１の受光面９を覆うことができる保護シート１０とを有する。受光面９は、太陽光を受ける面である。太陽光パネル１の受光面９は長方形であって、保護シート１０は、受光面９を覆うことができる長方形の部分を有し、当該長方形の部分は例えば鋼板である。当該長方形の部分の機械的強度は、受光面９の機械的強度より高いことが好ましい。
【００１５】
太陽光発電システム８は、太陽光パネル１の受光面９を覆っている保護シート１０を巻き取ることができると共に巻き取られた保護シート１０を繰り出して保護シート１０に受光面９を覆わせることができる巻取機１１と、巻取機１１を制御する制御部１２とを更に有する。実施の形態では、制御部１２は、電力変換装置４の内部に位置する。制御部１２は、太陽光発電システム８の外部に位置する外部機器１３とネットワーク又はインターネットによって接続される。図２には、外部機器１３も示されている。制御部１２は、外部機器１３からの情報をもとに、太陽光パネル１の受光面９を保護する必要があるか否かを判断する。
【００１６】
具体的には、まず、制御部１２は、外部機器１３からの情報が示す状況が受光面９を保護する必要がある場合を特定する基準の範囲に含まれているか否かを判定する。次に、制御部１２は、当該状況が当該基準の範囲に含まれていると判定した場合、受光面９を保護する必要があると判断する。制御部１２は、当該状況が当該基準の範囲に含まれていないと判定した場合、受光面９を保護する必要がないと判断する。
【００１７】
外部機器１３からの情報の一例は、太陽光パネル１の位置の自然環境の情報、又は太陽光パネル１の発電量の情報である。外部機器１３からの情報は、太陽光パネル１の位置の自然環境の情報と、太陽光パネル１の発電量の情報との双方であってもよい。太陽光パネル１の位置は、太陽光パネル１が設置されている位置である。
【００１８】
制御部１２は、受光面９を保護する必要があると判断した場合、巻取機１１を制御して保護シート１０が受光面９を覆う状態にさせる。制御部１２は、受光面９を保護する必要がないと判断した場合、巻取機１１を制御して保護シート１０が受光面９を覆わない状態にさせる。
【００１９】
すなわち、制御部１２は、受光面９を保護する必要があると判断した場合、保護シート１０が巻き取られていて保護シート１０が受光面９を覆っていないとき、巻取機１１に巻き取られた保護シート１０を繰り出させて、保護シート１０が受光面９を覆う状態にさせる。制御部１２は、受光面９を保護する必要があると判断した場合、保護シート１０が受光面９を覆っているとき、巻取機１１を動作させずに保護シート１０が受光面９を覆う状態を維持させる。
【００２０】
制御部１２は、受光面９を保護する必要がないと判断した場合、保護シート１０が巻き取られていて保護シート１０が受光面９を覆っていないとき、巻取機１１を動作させずに保護シート１０が受光面９を覆っていない状態を維持させる。制御部１２は、受光面９を保護する必要がないと判断した場合、保護シート１０が受光面９を覆っているとき、巻取機１１に保護シート１０を巻き取らせて、保護シート１０が受光面９を覆わない状態にさせる。
【００２１】
次に、巻取機１１によって制御される保護シート１０の動きに関する構成について説明する。図３は、実施の形態１にかかる太陽光発電システム８の構成の一部の斜視図である。更に言うと、図３は、図２の円Ｃで囲まれている部分の拡大図である。図３に示す通り、太陽光パネル１は、太陽光を受けて太陽光を電力に変換する受光部分１４と、受光部分１４を囲って受光部分１４を保持する枠１５とを有する。
【００２２】
太陽光パネル１の二つの平面のうちの受光面９でない平面である裏面の側には、図示されていないが、太陽光パネル１が発電することによって得られた電流を太陽光パネル１から電力変換装置４に伝送するための構成要素が配置されている。構成要素の一例は、端子ボックス及び配線である。
【００２３】
上述の通り、巻取機１１は、太陽光パネル１の受光面９を覆っている保護シート１０を巻き取ることができると共に、巻き取られた保護シート１０を繰り出して保護シート１０に受光面９を覆わせることができる。すなわち、保護シート１０は巻取機１１の制御によって受光面９の上を移動する。保護シート１０を受光面９の上で移動させるために、つまり保護シート１０を受光面９の上で滑らせるために、図３に示す通り、枠１５にはガイド１６が形成されている。ガイド１６は溝であり、当該溝は保護シート１０の受光面９の上での移動の方向Ｍと平行な方向に伸びている。
【００２４】
図３の枠１５のひとつの端面Ｅが示す通り、ガイド１６の受光面９の側の幅Ｗは、ガイド１６の裏面の側の幅Ｄより狭い。ガイド１６の各断面では、端面Ｅが示すように、受光面９の側の幅Ｗは裏面の側の幅Ｄより狭い。上述の通り、裏面は太陽光パネル１の二つの平面のうちの受光面９でない平面である。ガイド１６の各断面は、ガイド１６が延びている方向と直交する面である。
【００２５】
太陽光発電システム８は、図３には示されていないが、ガイド１６の底を上記の方向Ｍと平行な方向に移動する２個の車輪を有する。ガイド１６の底を移動する２個の車輪については、図４及び図５を用いて後に再度説明する。図３に示す通り、太陽光発電システム８は、当該２個の車輪を連結する車軸１７を更に有する。車軸１７は、ガイド１６の幅Ｗ及び幅Ｄと平行であると共に、上記の方向Ｍと直交する。当該２個の車輪の一方は車軸１７の一方の端に取り付けられており、当該２個の車輪の他方は車軸１７の他方の端に取り付けられている。太陽光発電システム８は、図３に示す通り、保護シート１０と車軸１７とを接続する支柱１８を更に有する。
【００２６】
図示されていないが、枠１５のガイド１６が形成されている部位に対向する部位にもガイド１６と同じ構成を有する第２のガイドが形成されている。ガイド１６と第２のガイドとの間には、受光部分１４が位置する。加えて、図示されていないが、ガイド１６を移動する２個の車輪と同様に、太陽光発電システム８は、第２のガイドの底を上記の方向Ｍと平行な方向に移動する２個の車輪を有するとともに、当該２個の車輪を連結する車軸と、当該車軸と保護シート１０とを接続する支柱とを更に有する。
【００２７】
図４は、実施の形態１にかかる太陽光発電システム８のガイド１６の底を移動する第１の車輪１９ａ及び第２の車輪１９ｂと、車軸１７と、支柱１８との構成を示す斜視図である。図５は、実施の形態１にかかる太陽光発電システム８の保護シート１０の移動を説明するための図である。更に言うと、図５は、太陽光発電システム８の一部の断面を示す図である。当該断面は図３の端面Ｅと平行な面である。
【００２８】
図４及び図５に示す通り、太陽光発電システム８は、ガイド１６の底を上記の方向Ｍと平行な方向に移動する第１の車輪１９ａ及び第２の車輪１９ｂと、第１の車輪１９ａと第２の車輪１９ｂとを連結する車軸１７と、保護シート１０と車軸１７とを接続する支柱１８とを有する。
【００２９】
図５に示す通り、車軸１７は、ガイド１６の受光面９の側の幅Ｗより長く、ガイド１６の裏面の側の幅Ｄより短い。第２の車輪１９ｂの構成は第１の車輪１９ａの構成と同じであり、図５に示す通り、第１の車輪１９ａ及び第２の車輪１９ｂの各々の直径は、ガイド１６の幅Ｄの部分の高さ以下である。当該高さの方向は、受光面９と直交する方向である。
【００３０】
ガイド１６を移動する第１の車輪１９ａ及び第２の車輪１９ｂと、車軸１７と、支柱１８と、第２のガイドを移動する２個の車輪と、当該２個の車輪を連結する車軸と、当該車軸と保護シート１０とを接続する支柱とは、受光面９の上を移動する保護シート１０を支持する。
【００３１】
上述の通り、枠１５にガイド１６及び第２のガイドが形成されており、ガイド１６を移動する第１の車輪１９ａ及び第２の車輪１９ｂが車軸１７及び支柱１８により保護シート１０と接続されている。同様に、第２のガイドを移動する２個の車輪が車軸及び支柱により保護シート１０と接続されている。各車輪の組が対応するレールを移動することができるので、巻取機１１は、太陽光パネル１の受光面９を覆っている保護シート１０を巻き取ることができる。加えて、巻取機１１は、巻き取られた保護シート１０を繰り出して保護シート１０に受光面９を覆わせることができる。
【００３２】
さらに、車軸１７は、ガイド１６の受光面９の側の幅Ｗより長く、ガイド１６の裏面の側の幅Ｄより短い。第２のガイドを移動する２個の車輪を連結する車軸も、第２のガイドの受光面９の側の幅より長く、第２のガイドの裏面の側の幅より短い。そのため、保護シート１０が受光面の上を移動する場合、たとえ風が吹いても第１の車輪１９ａ及び第２の車輪１９ｂはガイド１６から外れないし、第２のガイドを移動する２個の車輪は第２のガイドから外れない。
【００３３】
次に、太陽光発電システム８を構成する制御部１２が行う動作について説明する。図６は、実施の形態１にかかる太陽光発電システム８が有する制御部１２の動作の手順を示すフローチャートである。制御部１２は、外部機器１３からの情報である太陽光パネル１の位置の自然環境の情報である環境情報を確認する（Ｓ１）。太陽光パネル１の位置は、太陽光パネル１が設置されている位置である。具体的には、制御部１２は、太陽光パネル１が設置されている場所の環境情報を外部機器１３から読み込む。環境情報は、天気予報と、緊急の情報とを含む。天気予報は、予測される風速、雨量、注意報及び警報の一部又は全部を含む。緊急の情報は、地震、噴火又は霰についての情報を含んでもよい。
【００３４】
制御部１２は、ステップＳ１において確認した環境情報と、自然現象が正常であるか否かを判定するための基準情報とを対比し、自然現象は正常であるか否かを判定する（Ｓ２）。例えば、基準情報は、悪天候が予測されるか、悪天候であるか、災害が発生することが予想されるか、又は災害が発生しているかどうかを判断するための情報である。制御部１２は、環境情報と基準情報とを対比し、悪天候が予測されず、悪天候でなく、災害が発生することが予想されず、災害が発生していない場合、自然現象は正常であると判断する（Ｓ２でＹｅｓ）。
【００３５】
制御部１２は、基準情報を記憶している。基準情報の具体例は、例えば風速が毎秒１５メートル以上である場合に悪天候である又は災害が発生していると判断するための情報である。基準情報の別の具体例は、強風警報、噴火情報、霰の予報、雹の予報又は竜巻の予報が提示されている場合に悪天候である又は災害が発生していると判断するための情報である。なお、図１に示す通り、作業者によって入力された情報を電力変換装置４に送信することができる操作装置２０が電力変換装置４に接続されている場合、制御部１２は作業者によって電力変換装置４に入力された基準情報をステップＳ２の判断に用いてもよい。操作装置２０の一例は、パーソナルコンピュータである。
【００３６】
制御部１２は、自然現象は正常でないと判断した場合（Ｓ２でＮｏ）、制御部１２の動作は後述するステップＳ５に移行する。制御部１２は、悪天候が予測される、悪天候である、災害が発生することが予想される、又は災害が発生していると判断した場合、自然現象は正常でないと判断する（Ｓ２でＮｏ）。制御部１２は、自然現象は正常であると判断した場合（Ｓ２でＹｅｓ）、太陽光発電を行うことができるか否かを判断する（Ｓ３）。具体的には、制御部１２は、現時点の天候及び時刻を確認して太陽光発電を行うことができるか否かを判断する（Ｓ３）。
【００３７】
制御部１２が太陽光発電を行うことができないと判断した場合（Ｓ３でＮｏ）、制御部１２の動作はステップＳ５に移行する。制御部１２は、太陽光発電を行うことができると判断した場合（Ｓ３でＹｅｓ）、巻取機１１を制御して保護シート１０が受光面９を覆わない状態にさせる（Ｓ４）。制御部１２がステップＳ４の動作を行うと、太陽光パネル１は発電する。ステップＳ２又はステップＳ３でＮｏの場合、制御部１２は、巻取機１１を制御して保護シート１０が受光面９を覆う状態にさせる（Ｓ５）。
【００３８】
上述のように、制御部１２は、外部機器１３からの情報をもとに、太陽光パネル１の受光面９を保護する必要があるか否かを判断する。言い換えると、制御部１２は、外部機器１３からの情報をもとに、保護シート１０に受光面９を覆わせる必要があるか否かを判断する。制御部１２は、受光面９を保護する必要があると判断した場合、巻取機１１を制御して保護シート１０が受光面９を覆う状態にさせる。制御部１２は、受光面９を保護する必要がないと判断した場合、巻取機１１を制御して保護シート１０が受光面９を覆わない状態にさせる。
【００３９】
すなわち、太陽光発電システム８は、施工後に太陽光パネル１の受光面９を保護する必要があると判断した場合、保護シート１０が受光面９を覆う状態にさせることにより受光面９を保護することができる。更に言うと、太陽光発電システム８は、太陽光パネル１の受光面９を保護する必要があると判断した場合、人の作業を要することなく受光面９を保護することができる。太陽光発電システム８は、太陽光パネル１の受光面９を保護する必要がないと判断した場合、太陽光発電を行うことができる。
【００４０】
太陽光パネル１の受光面９を保護する必要がある場合は、例えば太陽光パネル１が設置されている場所で強風が吹いて飛来物が受光面９に衝突して受光面９を損傷する可能性がある場合である。又は、太陽光パネル１の受光面９を保護する必要がある場合は、例えば太陽光パネル１が設置されている場所を含む地域の火山が噴火して噴石又は灰が受光面９に到達して受光面９を損傷する可能性がある場合である。
【００４１】
太陽光発電システム８は、保護シート１０、巻取機１１及び制御部１２を有する。そのため、太陽光パネル１が設置されている場所で強風が吹いて飛来物が太陽光パネル１に到達しても、太陽光パネル１が設置されている場所を含む地域の火山が噴火して噴石又は灰が太陽光パネル１に到達しても、受光面９は保護シート１０に覆われるので、受光面９を保護することができる。
【００４２】
更に言うと、太陽光発電システム８は、太陽光パネル１が破損した場合、修理が完了するまで発電を行うことができないということを回避することができるし、修理にかかる費用が発生することも回避することができるし、発電量の低下を防止することもできる。加えて、太陽光発電システム８は、太陽光パネル１が破損した場合に火災が発生するという危険が生じることを回避することもできる。
【００４３】
さらに、太陽光発電システム８は、外部機器１３からの情報をもとに受光面９を保護する必要があるか否かを判断する。すなわち、太陽光発電システム８は、外部機器１３から最新の情報を取得することができれば、最新の情報をもとに受光面９を保護する必要があるか否かを判断することができる。
【００４４】
なお、上述した実施の形態では、ガイド１６を移動する車輪は第１の車輪１９ａ及び第２の車輪１９ｂであるが、ガイド１６を移動する車輪は車軸１７の両側の各々に複数個設けられてもよい。同様に、第２のガイドを移動する車輪は車軸の両側の各々に複数個設けられてもよい。
【００４５】
実施の形態２．
次に、実施の形態２にかかる太陽光発電システム８Ａを説明する。図７は、実施の形態２にかかる太陽光発電システム８Ａの構成を示す図である。太陽光発電システム８Ａは、実施の形態１にかかる太陽光発電システム８に類似するシステムであって、太陽光発電システム８とは太陽光パネルの受光面９を保護する構成が異なる。実施の形態２では、実施の形態１との相違点を主に説明する。
【００４６】
図７に示す通り、太陽光発電システム８Ａは、第１の太陽光パネル１ａと、第２の太陽光パネル１ｂと、第３の太陽光パネル１ｃとを有する。第１の太陽光パネル１ａ、第２の太陽光パネル１ｂ及び第３の太陽光パネル１ｃの各々は、太陽光を直流電力に変換する太陽光パネルであって、実施の形態１の太陽光パネル１と同じ機能を有するものである。
【００４７】
第１の太陽光パネル１ａ、第２の太陽光パネル１ｂ及び第３の太陽光パネル１ｃの各々は、太陽光発電を行う場合、受光面９が鉛直上方の側に向いた状態で互いに重ねられることなく並べられる。更に言うと、第３の太陽光パネル１ｃは、太陽光発電を行う場合、第１の太陽光パネル１ａと協働して第２の太陽光パネル１ｂを挟む位置に並べられる。
【００４８】
太陽光発電システム８Ａは、第１の太陽光パネル１ａと第２の太陽光パネル１ｂとのうちの少なくとも一方を動作させて第１の太陽光パネル１ａ及び第２の太陽光パネル１ｂの各々の受光面９を向き合わせることができる移動手段２１を更に有する。移動手段２１は、第２の太陽光パネル１ｂと第３の太陽光パネル１ｃとのうちの少なくとも一方を動作させて第２の太陽光パネル１ｂ及び第３の太陽光パネル１ｃの各々の裏面を向き合わせることができるものでもある。裏面は、第１の太陽光パネル１ａ、第２の太陽光パネル１ｂ及び第３の太陽光パネル１ｃの各々について、二つの平面のうちの受光面９でない平面である。図７では、移動手段２１の一部のみが示されている。移動手段２１の詳細については、後に説明する。
【００４９】
太陽光発電システム８Ａは、移動手段２１を制御する制御部１２ａを更に有する。制御部１２ａは、実施の形態１にかかる太陽光発電システム８が有する制御部１２に類似しており、電力変換装置４の内部に位置する。制御部１２ａは、制御部１２と同様に、外部機器１３からの情報をもとに、第１の太陽光パネル１ａ、第２の太陽光パネル１ｂ及び第３の太陽光パネル１ｃの各々の受光面９を保護する必要があるか否かを判断する。
【００５０】
すなわち、制御部１２ａは、外部機器１３からの情報が示す状況が各受光面９を保護する必要がある場合を特定する基準の範囲に含まれているか否かを判定する。制御部１２ａは、当該状況が当該基準の範囲に含まれていると判定した場合、各受光面９を保護する必要があると判断する。制御部１２ａは、当該状況が当該基準の範囲に含まれていないと判定した場合、各受光面９を保護する必要がないと判断する。
【００５１】
制御部１２ａは、第１の太陽光パネル１ａ、第２の太陽光パネル１ｂ及び第３の太陽光パネル１ｃの各々の受光面９を保護する必要があると判断した場合、移動手段２１を制御して第１の太陽光パネル１ａ及び第２の太陽光パネル１ｂの各々の受光面９を対向する状態にさせる。加えて、制御部１２ａは、各受光面９を保護する必要があると判断した場合、移動手段２１を制御して第２の太陽光パネル１ｂ及び第３の太陽光パネル１ｃの各々の裏面を対向する状態にさせる。
【００５２】
制御部１２ａは、第１の太陽光パネル１ａ、第２の太陽光パネル１ｂ及び第３の太陽光パネル１ｃの各々の受光面９を保護する必要がないと判断した場合、移動手段２１を制御して、第１の太陽光パネル１ａ、第２の太陽光パネル１ｂ及び第３の太陽光パネル１ｃの各々の受光面９が鉛直上方の側に向いた状態で第１の太陽光パネル１ａ、第２の太陽光パネル１ｂ及び第３の太陽光パネル１ｃが互いに重ねられることなく並べられる状態にさせる。
【００５３】
第１の太陽光パネル１ａ、第２の太陽光パネル１ｂ及び第３の太陽光パネル１ｃの各々の発電によって得られた電流は、配線２３を介して電力変換装置４に送られる。
【００５４】
図８は、実施の形態２にかかる太陽光発電システム８Ａの構成の詳細を説明するための第１図である。図８では、第１の太陽光パネル１ａ、第２の太陽光パネル１ｂ及び第３の太陽光パネル１ｃについては、側面が示されている。更に言うと、図８は、第１の太陽光パネル１ａ、第２の太陽光パネル１ｂ及び第３の太陽光パネル１ｃの各々が、受光面９が鉛直上方の側に向いた状態で互いに重ねられることなく並べられた状況を示している。図８に示された状況において、第１の太陽光パネル１ａ、第２の太陽光パネル１ｂ及び第３の太陽光パネル１ｃの各々は発電することができる。
【００５５】
太陽光発電システム８Ａは、第１の太陽光パネル１ａと第２の太陽光パネル１ｂとを接続させると共に、第１の太陽光パネル１ａの受光面９と第２の太陽光パネル１ｂの受光面９とを対向させるための第１の回転用軸２２ａを更に有する。太陽光発電システム８Ａは、第２の太陽光パネル１ｂと第３の太陽光パネル１ｃとを接続させると共に、第２の太陽光パネル１ｂの裏面２４と第３の太陽光パネル１ｃの裏面２４とを対向させるための第２の回転用軸２２ｂを更に有する。第１の太陽光パネル１ａ、第２の太陽光パネル１ｂ及び第３の太陽光パネル１ｃの各々について、裏面２４の機械的強度は受光面９の機械的強度より大きい。例えば、裏面２４は金属の材料によって形成されている。
【００５６】
第１の回転用軸２２ａは、第１の太陽光パネル１ａ及び第２の太陽光パネル１ｂの各々が、受光面９が鉛直上方の側に向いた状態で並べられた状態において、裏面２４より受光面９の側の位置に設けられている。第２の回転用軸２２ｂは、第２の太陽光パネル１ｂ及び第３の太陽光パネル１ｃの各々が、受光面９が鉛直上方の側に向いた状態で並べられた状態において、受光面９より裏面２４の側の位置に設けられている。第１の回転用軸２２ａ及び第２の回転用軸２２ｂは、第１の太陽光パネル１ａ、第２の太陽光パネル１ｂ及び第３の太陽光パネル１ｃの各々が、受光面９が鉛直上方の側に向いた状態で並べられた状態において、受光面９と平行に設けられている。
【００５７】
第１の太陽光パネル１ａ、第２の太陽光パネル１ｂ及び第３の太陽光パネル１ｃの各々の発電によって得られた電流は、配線２３を通り、建物の壁２５を介して電力変換装置４に送られる。
【００５８】
太陽光発電システム８Ａは、第１の太陽光パネル１ａの受光面９の裏面２４に取り付けられていて、第１の太陽光パネル１ａを回転させるための駆動部２６と、駆動部２６に取り付けられているワイヤ２７と、ワイヤ２７を巻き取ることができると共に巻き取られたワイヤ２７を繰り出すことができるワイヤ巻取機２８とを更に有する。移動手段２１は、第１の回転用軸２２ａ、第２の回転用軸２２ｂ、駆動部２６、ワイヤ２７、ワイヤ巻取機２８を有する。
【００５９】
図９は、実施の形態２にかかる太陽光発電システム８Ａの構成を説明するための第２図である。図９では、第１の太陽光パネル１ａ、第２の太陽光パネル１ｂ及び第３の太陽光パネル１ｃについては、側面が示されている。更に言うと、図９は、第１の太陽光パネル１ａの受光面９と第２の太陽光パネル１ｂの受光面９とが対向しており、第２の太陽光パネル１ｂの裏面２４と第３の太陽光パネル１ｃの裏面２４とが対向している状況を示している。
【００６０】
ワイヤ巻取機２８が制御部１２ａの制御によってワイヤ２７を巻き取ると、図８に示される状況から図９に示される状況に移行する。すなわち、図８に示される状況において、ワイヤ巻取機２８がワイヤ２７を巻き取ることによって、第１の太陽光パネル１ａ、第２の太陽光パネル１ｂ及び第３の太陽光パネル１ｃの各々が第１の回転用軸２２ａ又は第２の回転用軸２２ｂの周りに動き、第１の太陽光パネル１ａの受光面９と第２の太陽光パネル１ｂの受光面９とが対向する。加えて、第２の太陽光パネル１ｂの裏面２４と第３の太陽光パネル１ｃの裏面２４とが対向する。
【００６１】
図１０は、実施の形態２にかかる太陽光発電システム８Ａが有する第１の回転用軸２２ａの一部の斜視図である。太陽光発電システム８Ａは、第１の回転用軸２２ａの側面に位置する第１パネル移動枠２９及び第２パネル移動枠３０を更に有する。第１パネル移動枠２９及び第２パネル移動枠３０の各々はリング状の構成要素である。
【００６２】
第１の回転用軸２２ａの側面の直径は、第１パネル移動枠２９及び第２パネル移動枠３０の各々の内径と同じである。第１の回転用軸２２ａ、第１パネル移動枠２９及び第２パネル移動枠３０の各々の中心軸が一致した状態で、第１パネル移動枠２９及び第２パネル移動枠３０の各々は互いに重ねられることなく第１の回転用軸２２ａに取り付けられる。第１パネル移動枠２９及び第２パネル移動枠３０の各々は、第１の回転用軸２２ａの側面を滑らかに動くことができる。つまり、第１パネル移動枠２９及び第２パネル移動枠３０の各々は、第１の回転用軸２２ａの周りを動くことができる。
【００６３】
第１パネル移動枠２９には、第１の回転用軸２２ａと第１の太陽光パネル１ａとを接続する第１の接続部２９ａが取り付けられている。第２パネル移動枠３０には、第１の回転用軸２２ａと第２の太陽光パネル１ｂとを接続する第２の接続部３０ａが取り付けられている。図示されないが、第２の回転用軸２２ｂの構成は第１の回転用軸２２ａの構成と同じである。なお、第１の太陽光パネル１ａ、第２の太陽光パネル１ｂ及び第３の太陽光パネル１ｃの各々の発電によって得られた電流は、配線２３、第１の接続部２９ａ、第２パネル移動枠３０及び建物の壁２５を介して電力変換装置４に送られる。
【００６４】
図８及び図９に示す通り、第２の回転用軸２２ｂにも、図示されないパネル移動枠を介して第２の回転用軸２２ｂと第２の太陽光パネル１ｂとを接続する第１の接続部２９ａが取り付けられている。加えて、第２の回転用軸２２ｂには、図示されないパネル移動枠を介して第２の回転用軸２２ｂと第３の太陽光パネル１ｃとを接続する第２の接続部３０ａが取り付けられている。第１パネル移動枠２９、第２パネル移動枠３０、第１の接続部２９ａ及び第２の接続部３０ａは、移動手段２１に含まれる。
【００６５】
図８に示される状況において、ワイヤ巻取機２８が制御部１２ａの制御によってワイヤ２７を巻き取ると、ワイヤ２７が駆動部２６に取り付けられているので、第１の太陽光パネル１ａが第１の回転用軸２２ａを中心に図１０の矢印ｘに向きに回転する。第１の太陽光パネル１ａが第１の回転用軸２２ａを中心に回転する際、第２パネル移動枠３０とともに第２の太陽光パネル１ｂが第１の回転用軸２２ａを中心に図１０の矢印ｙに向きに回転する。
【００６６】
図８を用いて説明した通り、第１の回転用軸２２ａは、第１の太陽光パネル１ａ及び第２の太陽光パネル１ｂの各々が、受光面９が鉛直上方の側に向いた状態で並べられた状態において、裏面２４より受光面９の側に位置する。そのため、第１の太陽光パネル１ａ及び第２の太陽光パネル１ｂの各々が第１の回転用軸２２ａを中心に回転すると、第１の太陽光パネル１ａの受光面９と第２の太陽光パネル１ｂの受光面９とは対向する。ワイヤ巻取機２８は、第１の太陽光パネル１ａの受光面９と第２の太陽光パネル１ｂの受光面９とが対向すると、二つの受光面９が接触するまでにワイヤ２７を巻き取る動作を終了する。
【００６７】
上述の通り、第２の回転用軸２２ｂにも、第２の回転用軸２２ｂと第２の太陽光パネル１ｂとを接続する第１の接続部２９ａが取り付けられており、かつ、第２の回転用軸２２ｂと第３の太陽光パネル１ｃとを接続する第２の接続部３０ａが取り付けられている。そのため、第２の太陽光パネル１ｂが第１の回転用軸２２ａを中心に回転する際、第３の太陽光パネル１ｃが第２の回転用軸２２ｂを中心に回転する。
【００６８】
上述の通り、第２の回転用軸２２ｂは、第２の太陽光パネル１ｂ及び第３の太陽光パネル１ｃの各々が、受光面９が鉛直上方の側に向いた状態で並べられた状態において、受光面９より裏面２４の側に位置する。そのため、第２の太陽光パネル１ｂ及び第３の太陽光パネル１ｃの各々が第２の回転用軸２２ｂを中心に回転すると、第２の太陽光パネル１ｂの裏面２４と第３の太陽光パネル１ｃの裏面２４とは対向する。
【００６９】
図９に示される状況において、ワイヤ巻取機２８が制御部１２ａの制御によってワイヤ２７を繰り出すと、図８及び図９を説明した上記の動作と逆の動作が行われ、図９に示される状況から図８に示される状況に移行する。
【００７０】
次に、太陽光発電システム８Ａを構成する制御部１２ａが行う動作について説明する。図１１は、実施の形態２にかかる太陽光発電システム８Ａが有する制御部１２ａの動作の手順を示すフローチャートである。制御部１２ａは、実施の形態１の制御部１２と同様に、外部機器１３からの情報である太陽光パネル１の位置の自然環境の情報である環境情報を確認する（Ｓ１）。
【００７１】
制御部１２ａは、実施の形態１の制御部１２と同様に、ステップＳ１において確認した環境情報と、基準情報とを対比し、自然現象は正常であるか否かを判定する（Ｓ２）。制御部１２ａが、自然現象は正常でないと判断した場合（Ｓ２でＮｏ）、制御部１２ａの動作は後述するステップＳ１５に移行する。制御部１２ａは、自然現象は正常であると判断した場合（Ｓ２でＹｅｓ）、太陽光発電を行うことができるか否かを判断する（Ｓ３）。
【００７２】
制御部１２ａが太陽光発電を行うことができないと判断した場合（Ｓ３でＮｏ）、制御部１２ａの動作はステップＳ１５に移行する。制御部１２ａは、太陽光発電を行うことができると判断した場合（Ｓ３でＹｅｓ）、第１の太陽光パネル１ａ、第２の太陽光パネル１ｂ及び第３の太陽光パネル１ｃを、受光面９が鉛直上方の側に向いた状態で互いに重ねられることなく並べられる状態にさせる（Ｓ１４）。つまり、制御部１２ａは、太陽光発電を行うことができると判断した場合（Ｓ３でＹｅｓ）、第２の太陽光パネル１ａ、第２の太陽光パネル１ｂ及び第３の太陽光パネル１ｃの３個の太陽光パネルを展開させる。制御部１２ａがステップＳ１４の動作を行うと、各太陽光パネルは発電する。
【００７３】
ステップＳ２又はステップＳ３でＮｏの場合、制御部１２ａは、移動手段２１を制御して、第１の太陽光パネル１ａの受光面９と第２の太陽光パネル１ｂの受光面９とを対向させる（Ｓ１５）。つまり、制御部１２ａは、隣り合う一組の太陽光パネルの各々の受光面９を対向させる（Ｓ１５）。制御部１２ａは、ステップＳ１４の動作を行う際、第２の太陽光パネル１ｂの裏面２４と第３の太陽光パネル１ｃの裏面２４とを対向させる。つまり、制御部１２ａは、ステップＳ１５において、第１の太陽光パネル１ａ、第２の太陽光パネル１ｂ及び第３の太陽光パネル１ｃの３個の太陽光パネルを折り畳ませる。
【００７４】
上述のように、制御部１２ａは、外部機器１３からの情報をもとに、各太陽光パネルの受光面９を保護する必要があるか否かを判断する。制御部１２ａは、受光面９を保護する必要があると判断した場合、移動手段２１を制御して、第１の太陽光パネル１ａの受光面９と第２の太陽光パネル１ｂの受光面９とを対向させると共に、第２の太陽光パネル１ｂの裏面２４と第３の太陽光パネル１ｃの裏面２４とを対向させる。制御部１２ａは、受光面９を保護する必要がないと判断した場合、移動手段２１を制御して、第１の太陽光パネル１ａ、第２の太陽光パネル１ｂ及び第３の太陽光パネル１ｃの各々の受光面９が鉛直上方の側に向いた状態で、第１の太陽光パネル１ａ、第２の太陽光パネル１ｂ及び第３の太陽光パネル１ｃの各々を互いに重ねられることなく並べられる状態にさせる。
【００７５】
すなわち、太陽光発電システム８Ａは、施工後に各太陽光パネルの受光面９を保護する必要があると判断した場合、隣り合う一組の太陽光パネルの各々の受光面９を対向させると共に別の隣り合う一組の太陽光パネルの各々の裏面２４を対向させることにより受光面９を保護することができる。更に言うと、太陽光発電システム８Ａは、各太陽光パネルの受光面９を保護する必要があると判断した場合、人の作業を要することなく受光面９を保護することができる。
【００７６】
太陽光発電システム８Ａは、各太陽光パネルの受光面９を保護する必要があると判断した場合、上述の通り、隣り合う一組の太陽光パネルの各々の受光面９を対向させると共に別の隣り合う一組の太陽光パネルの各々の裏面２４を対向させる。そのため、太陽光発電システム８Ａに太陽光発電を行わせない場合、太陽光発電システム８Ａの大きさを太陽光発電を行わせる場合より小さくすることができるので、太陽光発電システム８Ａを比較的狭い場所に保管することができる。
【００７７】
実施の形態３．
次に、実施の形態３にかかる太陽光発電システム８Ｂを説明する。図１２は、実施の形態３にかかる太陽光発電システム８Ｂの構成を示す第１図である。図１３は、実施の形態３にかかる太陽光発電システム８Ｂの構成を示す第２図である。太陽光発電システム８Ｂは、実施の形態１にかかる太陽光発電システム８に類似するシステムであって、太陽光発電システム８とは太陽光パネル１の受光面９を保護する構成が異なる。実施の形態３では、実施の形態１との相違点を主に説明する。
【００７８】
図１２及び図１３に示す通り、実施の形態３にかかる太陽光発電システム８Ｂは、太陽光パネル１と、太陽光パネル１の裏面２４の側に位置する軸３１とを有する。裏面２４は、太陽光パネル１の二つの平面のうちの受光面９でない平面である。軸３１は、長方形の太陽光パネル１の裏面２４の四つの辺のうちの長さが相対的に短い二つの辺の各々の中心を通る直線と平行に設けられている。太陽光発電システム８Ｂは、軸３１の周りに太陽光パネル１を回転させることができる回転機３２と、回転機３２を制御する制御部１２ｂとを更に有する。制御部１２ｂは、実施の形態１にかかる太陽光発電システム８が有する制御部１２に類似しており、電力変換装置４の内部に位置する。
【００７９】
制御部１２ｂは、実施の形態１にかかる太陽光発電システム８が有する制御部１２と同様に、外部機器１３からの情報をもとに、太陽光パネル１の受光面９を保護する必要があるか否かを判断する。
【００８０】
図１２は、太陽光パネル１の受光面９が裏面２４よりも鉛直上方の側に位置している状況を示している。制御部１２ｂは、受光面９を保護する必要がないと判断した場合、図１２に示すように、回転機３２を制御して太陽光パネル１の受光面９を裏面２４よりも鉛直上方の側に位置させる。
【００８１】
具体的には、制御部１２ｂは、太陽光パネル１の受光面９を保護する必要がないと判断した場合、受光面９が裏面２４よりも鉛直下方の側に位置しているとき、回転機３２に太陽光パネル１を１８０度回転させ、受光面９を裏面２４よりも鉛直上方の側に位置させる。制御部１２ｂは、受光面９を保護する必要がないと判断した場合、受光面９が裏面２４よりも鉛直上方の側に位置しているとき、回転機３２を動作させずに受光面９が裏面２４よりも鉛直上方の側に位置している状態を維持させる。
【００８２】
図１３は、太陽光パネル１の受光面９が裏面２４よりも鉛直下方の側に位置している状況を示している。制御部１２ｂは、受光面９を保護する必要があると判断した場合、図１３に示すように、回転機３２を制御して太陽光パネル１の受光面９を裏面２４よりも鉛直下方の側に位置させる。
【００８３】
具体的には、制御部１２ｂは、太陽光パネル１の受光面９を保護する必要があると判断した場合、受光面９が裏面２４よりも鉛直上方の側に位置しているとき、回転機３２に太陽光パネル１を１８０度回転させ、受光面９を裏面２４よりも鉛直下方の側に位置させる。制御部１２ｂは、受光面９を保護する必要があると判断した場合、受光面９が裏面２４よりも鉛直下方の側に位置しているとき、回転機３２を動作させずに受光面９が裏面２４よりも鉛直下方の側に位置している状態を維持させる。
【００８４】
次に、太陽光発電システム８Ｂを構成する制御部１２ｂが行う動作について説明する。図１４は、実施の形態３にかかる太陽光発電システム８Ｂが有する制御部１２ｂの動作の手順を示すフローチャートである。制御部１２ｂは、実施の形態１の制御部１２と同様に、外部機器１３からの情報である太陽光パネル１の位置の自然環境の情報である環境情報を確認する（Ｓ１）。
【００８５】
制御部１２ｂは、実施の形態１の制御部１２と同様に、ステップＳ１において確認した環境情報と、基準情報とを対比し、自然現象は正常であるか否かを判定する（Ｓ２）。制御部１２ｂが、自然現象は正常ではないと判断した場合（Ｓ２でＮｏ）、制御部１２ｂの動作は後述するステップＳ２５に移行する。制御部１２ｂは、自然現象は正常であると判断した場合（Ｓ２でＹｅｓ）、太陽光発電を行うことができるか否かを判断する（Ｓ３）。
【００８６】
制御部１２ｂが太陽光発電を行うことができないと判断した場合（Ｓ３でＮｏ）、制御部１２ｂの動作は後述するステップＳ２５に移行する。制御部１２ｂは、太陽光発電を行うことができると判断した場合（Ｓ３でＹｅｓ）、回転機３２を制御して太陽光パネル１の受光面９を裏面２４よりも鉛直上方の側に位置させる（Ｓ２４）。つまり、制御部１２ｂは、太陽光発電を行うことができると判断した場合（Ｓ３でＹｅｓ）、受光面９を鉛直上方の側に向かせる（Ｓ２４）。制御部１２ｂがステップＳ２４の動作を行うと、太陽光パネル１は発電する。ステップＳ２又はステップＳ３でＮｏの場合、制御部１２ｂは、回転機３２を制御して太陽光パネル１の受光面９を裏面２４よりも鉛直下方の側に位置させる（Ｓ２５）。つまり、制御部１２ｂは、ステップＳ２又はステップＳ３でＮｏの場合、受光面９を鉛直下方の側に向かせる（Ｓ２５）。
【００８７】
上述のように、制御部１２ｂは、外部機器１３からの情報をもとに、太陽光パネル１の受光面９を保護する必要があるか否かを判断する。制御部１２ｂは、受光面９を保護する必要があると判断した場合、回転機３２を制御して太陽光パネル１の受光面９を裏面２４よりも鉛直下方の側に位置させる。制御部１２ｂは、受光面９を保護する必要がないと判断した場合、回転機３２を制御して太陽光パネル１の受光面９を裏面２４よりも鉛直上方の側に位置させる。
【００８８】
すなわち、太陽光発電システム８Ｂは、施工後に太陽光パネル１の受光面９を保護する必要があると判断した場合、太陽光パネル１の受光面９を裏面２４よりも鉛直下方の側に位置させることにより受光面９を保護することができる。更に言うと、太陽光発電システム８Ｂは、太陽光パネル１の受光面９を保護する必要があると判断した場合、人の作業を要することなく受光面９を保護することができる。太陽光発電システム８Ｂを構成する部品の個数は実施の形態２にかかる太陽光発電システム８Ａを構成する部品の個数より少ないので、太陽光発電システム８Ｂは太陽光発電システム８Ａより簡易な構造である。つまり、太陽光発電システム８Ｂを太陽光発電システム８Ａより低コストで作成することができる。
【００８９】
図１５は、実施の形態１、２及び３の各々にかかる太陽光発電システムが有する制御部を構成する少なくとも一部の構成要素が処理回路４１によって実現される場合の処理回路４１を示す図である。つまり、実施の形態１にかかる太陽光発電システム８が有する制御部１２、実施の形態２にかかる太陽光発電システム８Ａが有する制御部１２ａ及び実施の形態３にかかる太陽光発電システム８Ｂが有する制御部１２ｂの各々について、機能の少なくとも一部は処理回路４１によって実現されてもよい。
【００９０】
処理回路４１は、専用のハードウェアである。すなわち、処理回路４１は、例えば、単一回路、複合回路、プログラム化されたプロセッサ、並列プログラム化されたプロセッサ、ＡＳＩＣ(Application  Specific  Integrated  Circuit)、ＦＰＧＡ(Field-Programmable  Gate  Array)、又はこれらを組み合わせたものである。制御部１２、制御部１２ａ及び制御部１２ｂの各々について、一部は残部とは別個の専用のハードウェアであってもよい。
【００９１】
図１６は、実施の形態１、２及び３の各々にかかる太陽光発電システムが有する制御部の少なくとも一部の機能がプロセッサ５２によって実現される場合のプロセッサ５２を示す図である。つまり、実施の形態１にかかる太陽光発電システム８が有する制御部１２、実施の形態２にかかる太陽光発電システム８Ａが有する制御部１２ａ及び実施の形態３にかかる太陽光発電システム８Ｂが有する制御部１２ｂの各々について、少なくとも一部の機能はメモリ５１に格納されるプログラムを実行するプロセッサ５２によって実現されてもよい。プロセッサ５２は、ＣＰＵ(Central  Processing  Unit)、処理装置、演算装置、マイクロプロセッサ、マイクロコンピュータ、又はＤＳＰ(Digital  Signal  Processor)である。図１６には、メモリ５１も示されている。
【００９２】
制御部１２、制御部１２ａ及び制御部１２ｂの各々について、少なくとも一部の機能がプロセッサ５２によって実現される場合、当該一部の機能は、プロセッサ５２と、ソフトウェア、ファームウェア、又はソフトウェアとファームウェアとの組み合わせにより実現される。ソフトウェア又はファームウェアはプログラムとして記述され、メモリ５１に格納される。プロセッサ５２は、メモリ５１に記憶されたプログラムを読み出して実行することにより、制御部１２、制御部１２ａ及び制御部１２ｂの少なくとも一部の機能を実現する。
【００９３】
すなわち、制御部１２、制御部１２ａ及び制御部１２ｂの各々の各々について、少なくとも一部の機能がプロセッサ５２によって実現される場合、実施の形態１、２及び３の各々にかかる太陽光発電システムは、制御部１２、制御部１２ａ及び制御部１２ｂの一部によって実行されるステップが結果的に実行されることになるプログラムを格納するためのメモリ５１を有する。メモリ５１に格納されるプログラムは、制御部１２、制御部１２ａ及び制御部１２ｂの一部が実行する手順又は方法をコンピュータに実行させるものであるともいえる。
【００９４】
メモリ５１は、例えば、ＲＡＭ(Random  Access  Memory)、ＲＯＭ(Read  Only  Memory)、フラッシュメモリ、ＥＰＲＯＭ(Erasable  Programmable  Read  Only  Memory)、ＥＥＰＲＯＭ(Electrically  Erasable  Programmable  Read-Only  Memory)等の、不揮発性又は揮発性の半導体メモリ、磁気ディスク、フレキシブルディスク、光ディスク、コンパクトディスク、ミニディスク又はＤＶＤ(Digital  Versatile  Disk)等である。
【００９５】
制御部１２、制御部１２ａ及び制御部１２ｂの各々の複数の機能について、当該複数の機能の一部を専用のハードウェアで実現し、当該複数の機能の残部をソフトウェア又はファームウェアで実現してもよい。このように、制御部１２、制御部１２ａ及び制御部１２ｂの各々について、複数の機能は、ハードウェア、ソフトウェア、ファームウェア、又はこれらの組み合わせによって実現することができる。
【００９６】
以上の実施の形態に示した構成は、本発明の内容の一例を示すものであり、別の公知の技術と組み合わせることも可能であるし、本発明の要旨を逸脱しない範囲で、構成の一部を省略又は変更することも可能である。
【符号の説明】
【００９７】
１  太陽光パネル、１ａ  第１の太陽光パネル、１ｂ  第２の太陽光パネル、１ｃ  第３の太陽光パネル、２  住宅、２ａ  屋根、３  太陽光モジュール、４  電力変換装置、５  接続負荷、６  系統、７  蓄電池、８，８Ａ，８Ｂ  太陽光発電システム、９  受光面、１０  保護シート、１１  巻取機、１２，１２ａ，１２ｂ  制御部、１３  外部機器、１４  受光部分、１５  枠、１６  レール、１７  車軸、１８  支柱、１９ａ  第１の車輪、１９ｂ  第２の車輪、２０  操作装置、２１  移動手段、２２ａ  第１の回転用軸、２２ｂ  第２の回転用軸、２３  配線、２４  裏面、２５  壁、２６  駆動部、２７  ワイヤ、２８  ワイヤ巻取機、２９  第１パネル移動枠、２９ａ  第１の接続部、３０  第２パネル移動枠、３０ａ  第２の接続部、３１  軸、３２  回転機、４１  処理回路、５１  メモリ、５２  プロセッサ。
【図１】
2018107954.tif 000003
【図２】
2018107954.tif 000004
【図３】
2018107954.tif 000005
【図４】
2018107954.tif 000006
【図５】
2018107954.tif 000007
【図６】
2018107954.tif 000008
【図７】
2018107954.tif 000009
【図８】
2018107954.tif 000010
【図９】
2018107954.tif 000011
【図１０】
2018107954.tif 000012
【図１１】
2018107954.tif 000013
【図１２】
2018107954.tif 000014
【図１３】
2018107954.tif 000015
【図１４】
2018107954.tif 000016
【図１５】
2018107954.tif 000017
【図１６】
2018107954.tif 000018